(57)【要約】【課題】既存の携帯端末と協調して、廉価にページャ端末と携帯端末の両方の機能を備える複合端末に対して提供されるサービスを利用することができるページャ端末を提供する。【解決手段】本発明のページャ端末は、ページャ信号を受信して、処理するページャ信号処理部１２と、ページャ信号処理部１２と携帯端末との間で情報の授受を行うための携帯端末用接続部１６とを備える。これにより、ページャ端末と携帯端末の両方の機能を備える複合端末に対して提供されるサービスを、ユーザが既に所持している既存の携帯端末を使用して利用することができるので、廉価に複合端末に対するサービスを受けることができるようになる。【選択図】　図１
2004040608.tif 000002
【特許請求の範囲】
【請求項１】
ページャ信号を受信するページャ端末であって、
前記ページャ信号を受信して、処理するページャ信号処理部と；
前記ページャ信号処理部と携帯端末との間で情報の授受を行うための携帯端末用接続部と；を備えることを特徴とするページャ端末。
【請求項２】
前記携帯端末用接続部は、物理的な接触により前記携帯端末との間の情報授受のための信号経路を形成するためのコネクタを備える、ことを特徴とする請求項１に記載のページャ端末。
【請求項３】
前記携帯端末用接続部は、赤外線通信、無線ＬＡＮ及びブルートゥースからなる群から選ばれる１つの無線通信方式により前記携帯端末との間で情報の授受を行う無線通信手段を備える、ことを特徴とする請求項１に記載のページャ端末。
【請求項４】
前記携帯端末用接続部は、前記携帯端末の外部機器接続部に嵌合する嵌合部を備える、ことを特徴とする請求項１〜３のいずれか一項に記載のページャ端末。
【請求項５】
前記外部機器接続部は嵌合用凹状つめ穴部を備え、
前記嵌合部は前記嵌合用凹状つめ穴部の形状に適合する凸状つめ部である、ことを特徴とする請求項４に記載のページャ端末。
【請求項６】
前記凸状つめ部は、押圧力が作用していないときには突出するとともに、所定の押圧力が加えられたときには押し込まれる、ことを特徴とする請求項５に記載のページャ端末。
【請求項７】
当該携帯端末用接続部は、前記凸状つめ部に連動し、それが押されたときに凸状つめ部が押し込まれる操作ボタンを更に備える、ことを特徴とする請求項５に記載のページャ端末。
【請求項８】
前記携帯端末用接続部を保護する保護部を更に備える、ことを特徴とする請求項１〜７のいずれか一項に記載のページャ端末。
【請求項９】
前記ページャ信号処理部を収容し、前記携帯端末用接続部が固定される本体ケースと；
前記本体ケースと前記保護部とを、前記保護部を前記接続部から取り外し可能に連結する連結手段と；を更に備えることを特徴とする請求項８に記載のページャ端末。
【請求項１０】
前記連結手段は、前記本体ケース及び前記保護部の少なくとも一方に対して回動可能に取り付けられた取付アームである、ことを特徴とする請求項９に記載のページャ端末。
【請求項１１】
前記連結手段はチェーン部材である、ことを特徴とする請求項９に記載のページャ端末。
【発明の詳細な説明】
【０００１】
【発明の属する技術分野】
本発明は、ページャ端末に係り、より詳しくは、携帯端末と協調して、携帯端末とページャ端末の両方の機能を利用する通信サービスを利用可能とするベージャ端末に関するものである。
【０００２】
【従来の技術】
近年、携帯電話やＰＨＳ（Ｐｅｒｓｏｎａｌ　Ｐｈｏｎｅ　Ｓｙｓｔｅｍ）等の携帯端末が、通話機能における発着信装置として普及している。こうした携帯端末では、着信を待ち受けている期間においても通信対象となる基地局を探索するセルサーチ等を行う必要があることから、この期間においても相当程度の電力を消費している。
【０００３】
このため、着信の待ち受け時における消費電力を減らし、連続使用時間を少しでも延長させるため、携帯端末にページャ端末の機能を内蔵させたページャ機能付きの携帯端末の技術が提案されている。この技術は、ページャ端末における着信の待ち受け動作の消費電力が、携帯端末における着信の待ち受け動作の消費電力に比べて格段に少ないことを利用するものである。
【０００４】
こうしたページャ機能付きの携帯端末では、着信の待ち受け時にページャ端末部のみに電源を供給してページャ端末部による待ち受け専用とする。そして、ページャ受信で発信者を確認してから、携帯端末部の電源をオンにして発信し通話する仕組みになっている。この結果、着信の待ち受け動作時における消費電力量を格段に低減させることが可能となり、端末装置に実装するバッテリ容量を同一とした場合には、大幅に連続使用時間を延長させることができる。
【０００５】
かかるページャ機能付きの携帯端末に関する具体的な例としては、特開平１０−２１０５５０号公報に開示されているものがある。この公報では、携帯電話機と、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カード型ページャとをアダプタ回路で接続し、アダプタ回路が携帯電話機とページャの接続を確認すると、複合携帯端末装置としての制御を行い、ページャに電源を供給して待ち受け動作させ、携帯電話機側は発信専用に用いるようにした複合携帯端末装置が開示されている。
【０００６】
【発明が解決しようとする課題】
上述した従来のページャ機能付きの携帯端末は、通常の携帯端末の無線通信機能に加えてページャ機能を備える複合端末の存在を前提としたものである。したがって、ユーザが、いまや広く普及している携帯端末を新たに複合端末に買い替える必要があるため、従来のページャ機能付きの携帯端末の技術を用いるのでは、これが早急にかつ広く普及するとは考えづらい。
【０００７】
また、従来のページャ機能付きの携帯端末に関する具体例である上述の複合携帯端末装置は、ページャ端末部がＰＣＭＣＩＡカード型のものを前提としたものである。したがって、ＰＣＭＣＩＡカード型のページャ端末を開発する必要があるが、このＰＣＭＣＩＡカード型のページャ端末を廉価に提供するのが難しい。
【０００８】
また、ＰＣＭＣＩＡカードの幅は、ＰＣＭＣＩＡ規格およびその標準化を推進する日本電子工業振興会（ＪＥＩＤＡ：Ｊａｐａｎ　Ｅｌｅｃｔｒｏｎｉｃ　Ｉｎｄｕｓｔｒｙ　ＤｅｖｅｌｏｐｍｅｎｔＡｓｓｏｃｉａｔｉｏｎ）の規格により５４ｍｍと規定されており、上記公報の図１に示されるようなＰＣＭＣＩＡカード型ページャ端末を内部に装着する携帯電話の幅は５４ｍｍよりも広いものとなる。これは現在一般的に販売されている携帯電話の幅である４０〜５０ｍｍ以下よりも著しく広いため、携帯性からＰＣＭＣＩＡカードを内部に装着する携帯電話を製品化しても普及するとは考え難い。
【０００９】
さらに、ＰＣＭＣＩＡカードの厚みは、ＰＣＭＣＩＡ規格では、ＴＹＰＥ　Ｉで３．３ｍｍ、ＴＹＰＥ　ＩＩで５．０ｍｍと規定されており、この薄さでは、ＰＣＭＣＩＡカード型ページャ端末を単独で携帯する場合の強度に不安が残る。このため、ＰＣＭＣＩＡカード型ページャ端末を製品化するには強度対策をしなければならず、この点においてもＰＣＭＣＩＡカード型ページャ端末を廉価に提供することが難しい。
【００１０】
このため、従来から提案されているページャ機能付きの携帯端末では、ページャ端末と携帯端末の両方の機能を備える複合端末に対して提供されるサービスの早急な拡大が阻害される可能性があることが懸念されている。
【００１１】
本発明は、上記のような事情を鑑みてなされたものであり、ユーザが所有している携帯端末を買い替えることなく、その携帯端末と協調して、廉価にページャ端末と携帯端末の両方の機能を備える複合端末に対して提供されるサービスを利用することができるページャ端末を提供することを目的とする。
【００１２】
【課題を解決するための手段】
本発明のページャ端末装置は、ページャ信号を受信するページャ端末であって、前記ページャ信号を受信して、処理するページャ信号処理部と；前記ページャ信号処理部と携帯端末との間で情報の授受を行うための携帯端末用接続部と；を備えることを特徴とするページャ端末である。
【００１３】
このページャ端末では、ページャ信号処理部が、ページャ信号を受信して処理する。これにより、通常のページャ端末としての機能を実現する。さらに、このページャ端末では、ページャ信号処理部が、携帯端末用接続部を介して、通常の携帯端末との間で情報の授受を行う。この結果、本発明のページャ端末の接続部を携帯端末の接続部に接続して使用することにより、ページャ端末は携帯端末の備える送信機能等を、同様に、携帯端末はページャ端末の備える低消費電力の受信機能を相互に利用可能とできる。したがって、本発明のページャ端末を、携帯端末用接続部を介して在来の携帯端末と接続することにより、その在来の携帯端末と協調して、廉価にページャ端末と携帯端末の両方の機能を備える複合端末に対して提供されるサービスを利用することができる。
【００１４】
本発明のページャ端末では、前記携帯端末用接続部が、物理的な接触により前記携帯端末との間の情報授受のための信号経路を形成するためのコネクタを備える構成とすることができる。
【００１５】
また、本発明のページャ端末では、前記携帯端末用接続部が、赤外線通信、無線ＬＡＮ及びブルートゥースからなる群から選ばれる１つの無線通信方式により前記携帯端末との間で情報の授受を行う無線通信手段を備える構成とすることができる。
【００１６】
また、本発明のページャ端末では、前記携帯端末用接続部が、前記携帯端末の外部機器接続部に嵌合する嵌合部を備える構成とすることができる。かかる場合には、携帯端末と本発明のページャ端末とを一体化させることができるので、ページャ端末と携帯端末の両方の機能を備える複合端末に対して提供されるサービスを利用する際の操作性等の利便性が向上する。
【００１７】
ここで、前記外部機器接続部が嵌合用凹状つめ穴部を備える構成であるとき、前記嵌合部を前記嵌合用凹状つめ穴部の形状に適合する凸状つめ部とする構成とすることができる。
【００１８】
この場合には、前記凸状つめ部が、押圧力が作用していないときには突出するとともに、所定の押圧力が加えられたときには押し込まれる構成とすることができる。
【００１９】
また、当該携帯端末用接続部が、前記凸状つめ部に連動し、押されたときに凸状つめ部が押し込まれる操作ボタンを更に備える構成とすることができる。
【００２０】
また、本発明のページャ端末では、前記携帯端末用接続部を保護する保護部を更に備える構成とすることができる。かかる場合には、携帯端末と接続していないときに、保護部により携帯端末用接続部を保護することにより、携帯端末用接続部を汚れや破損から有効に保護することができる。
【００２１】
ここで、前記ページャ信号処理部を収容し、前記携帯端末用接続部が固定される本体ケースと；前記本体ケースと前記保護部とを、前記保護部を前記接続部から取り外し可能に連結する連結手段と；を更に備える構成とすることができる。かかる場合には、保護部の紛失を防止することができる。
【００２２】
この場合には、前記連結手段を、前記本体ケース及び前記保護部の少なくとも一方に対して回動可能に取り付けられた取付アームとすることもできるし、また、チェーン部材とすることもできる。
【００２３】
【発明の実施の形態】
以下、本発明の一実施形態を、添付の図１〜図５を参照しつつ説明する。
【００２４】
図１（Ａ）及び図１（Ｂ）には、本発明の一実施形態に係るページャ端末１０の概略的な構成が外観図にて示されている。ここで、図１（Ａ）には、ページャ端末１０の平面図が示され、また、図１（Ｂ）には、ページャ端末１０の図１（Ａ）における紙面右側の側面図が示されている。この図１（Ａ）及び図１（Ｂ）に示されるページャ端末１０は、無線通信により、文字、数字、記号等を含むメッセージを受信して表示する従来公知の機能と、例えば携帯電話やＰＨＳ等の携帯端末に接続してメッセージ等の情報を送信する本発明に固有の機能との両方の機能を備えるページャ受信機（ポケットベル）である。このページャ端末１０は、図１（Ａ）及び図１（Ｂ）において総合的に示されるように、その本体部１２はボックス型に成形されている。
【００２５】
この本体部１２は、ページャ信号（ページャ波）の受信、メッセージの保存及び表示、その他の処理を行う部分である。本体部１２の図１（Ａ）における紙面手前側の面には、液晶ディスプレイ等の表示部１４が設けられており、この表示部１４には、無線通信により受信されたメッセージ等が表示される。
【００２６】
また、本体部１２の図１（Ａ）における紙面右側の面には、このページャ端末１０を携帯端末に接続して使用するための携帯端末用接続部１６が設けられている。ページャ端末１０は、単体で従来公知のページャ受信機として使用可能なものである。また、例えば図４及び図５に示されるように、ページャ端末１０を携帯端末１８に接続して使用することにより、ページャ端末１０は携帯端末１８の備える発信機能等を、同様に、携帯端末１８はページャ端末１０の備える低消費電力な受信機能等を相互に利用することが可能となる。
【００２７】
図４及び図５は、ページャ端末１０と携帯端末１８とを、上述したページャ端末１０の携帯端末用接続部１６及び携帯端末１８の機器接続部２６を介して物理的に直接接続する場合の一例を示している。
【００２８】
ページャ端末１０の本体部１２の図１（Ａ）における紙面上側の面には、携帯端末用接続部１６を保護するための蓋状のカバーである保護部２０が、取付アーム２２を介して矢印方向に回動可能に取り付けられている。なお、図１（Ａ）及び図１（Ｂ）には、保護部２０が取付部分を中心として図中左回りに９０°回転されて、携帯端末用接続部１６が露出された状態が示されている。この保護部２０を同右回りに約９０°回転させると、保護部２０により携帯端末用接続部１６を完全に覆い隠して保護することが可能である。
【００２９】
なお、図５に示すように、保護部１６を開放して、本発明のページャ端末１０と携帯端末１８と直接接続した場合には、保護部２０と携帯端末１８との間にユーザが指を入れて使用することができるように、保護部２０と携帯端末１８との間に十分な幅の空間が形成されるように、保護部２０が取付アーム２２を介して本体部１２に取り付けられている。なお、ページャ端末１０やユーザの指のサイズにもよるが、保護部２０と携帯端末１８との間における空間の幅は、１．５ｃｍ以上であることが好ましい。
【００３０】
次に、ページャ端末１０の携帯端末用接続部１６について説明する。なお、前提として、携帯端末１８には、図２に示されるように、携帯端末１８下部にはページャ端末１０を含む外部機器との接続用の機器接続部２６が設けられており、この機器接続部２６は、複数の電極が配設されたインタフェース用コネクタ２８と、携帯端末１８と外部機器とを接続した際の脱落を防止するための凹状つめ穴部３０とを備えているものとする。
【００３１】
ページャ端末１０の携帯端末用接続部１６は、図２に示されるように、携帯端末１８の接続部２６の形状に応じた形状に形成されている。そして、携帯端末用接続部１６は、（ａ）携帯端末１８の機器接続部２６のインタフェース用コネクタ２８の形状に適合する形状に形成され、複数の電極が配設されたインタフェース用コネクタ３２と、（ｂ）携帯端末１８の機器接続部２６の凹状つめ穴部３０の形状に適合する形状の凸状つめ部３４とを備えている。
【００３２】
例えば、図２に示されるように、携帯端末１８の機器接続部２６のインタフェース用コネクタ２８がオス型の場合には、ページャ端末１０の携帯端末用接続部１６のインタフェース用コネクタ３２は、携帯端末１８の機器接続部２６のインタフェース用コネクタ２８の形状に適合するメス型の形状に形成されている。そして、携帯端末用接続部１６のインタフェース用コネクタ３２に機器接続部２６のインタフェース用コネクタ２８を差し込むことによって、両者の各々対応する電極同士が接続される。
【００３３】
また、携帯端末１８の機器接続部２６の凹状つめ穴部３０は、その断面が三角形の溝穴であり、インタフェース用コネクタ２８を覆うように成形されている携帯端末１８のケーシングの図２における紙面左右両面に設けられている。これに対して、ページャ端末１０の携帯端末用接続部１６の凸状つめ部３４は、この凹状つめ穴部３０の形状に適合する、その断面が三角形の突起物であり、インタフェース用コネクタ３２のケーシングの図２における紙面左右両面に設けられている。
【００３４】
凸状つめ部３４は、通常、同インタフェース用コネクタ３２のケーシング内部から突出した状態に付勢されている。また、凸状つめ部３４は、所定の押圧力が加えられることにより変形して、同インタフェース用コネクタ３２のケーシング内部に一時的に押し込まれ、これにより、ページャ端末１０の携帯端末用接続部１６と携帯端末１８の機器接続部２６との着脱が行われるようになっている。
【００３５】
ページャ端末１０と携帯端末１８とを接続する際には、まず、凸状つめ部３４が携帯端末１８のケーシング端部に接触して、インタフェース用コネクタ３２のケーシング内部に一時的に押し込まれる。そして、携帯端末用接続部１６が機器接続部２６に完全に差し込まれると、凸状つめ部３４は、同インタフェース用コネクタ３２のケーシングから再度突出して、凹状つめ穴部３０に嵌め込まれる。こうして、ページャ端末１０が携帯端末１８に固定される。
【００３６】
一方、ページャ端末１０を携帯端末１８から取り外す際には、まず、凸状つめ部３４が凹状つめ穴部３０の傾斜面に接触して、インタフェース用コネクタ３２のケーシング内部に一時的に押し込まれる。そして、携帯端末用接続部１６が機器接続部２６から引き抜かれると、凸状つめ部３４は、インタフェース用コネクタ３２のケーシングから再度突出して通常状態に戻る。
【００３７】
なお、ページャ端末１０の携帯端末用接続部１６の凸状つめ部３４の材質は何ら限定されないが、携帯端末１８との間で抜き差しが繰り返し行われることになるため、例えば鉄、その他の金属、及び、ステンレスその他の合金のような材質のものを細い棒状にしたものを凸型に形成するのが好ましい。これにより、力を加えることで変形する柔軟性と、力を加えないことで元の形状に戻る復元性と、さらに抜き差しを繰り返し行っても破損しない剛性を持たせることができる。
【００３８】
次に、ページャ端末１０の内部構成について説明する。
【００３９】
図３は、ページャ端末１０の内部構成を示すブロック図である。この図３に示されるように、ページャ端末１０は、受信部３６、制御部３８、入力部４０及び表示部１４を備える本体部１２、並びに携帯端末用接続部１６を備えている。このうち表示部１４及び携帯端末用接続部１６は、図１（Ａ）及び図１（Ｂ）に示されているものであり、受信部３６及び制御部３８は本体部１２内部に含まれているものである。また、入力部４０は、図１（Ａ）及び図１（Ｂ）では図示を省略しているが、ページャ端末１０全体を統括制御する制御部３８へ各種のデータを入力するためのものであり、マニュアル操作用の各種キーを有している。
【００４０】
ページャ端末１０の受信部３６は、アンテナ４２と、高周波増幅部４４と、発振器４６と、移送器４８と、周波数変換部５０ａ，５０ｂと、フィルタ５２ａ，５２ｂと、リミッタ５４ａ，５４ｂと、復調器５６と、受信信号処理回路５８とを備えている。
【００４１】
ここで、アンテナ４２の出力は高周波増幅部４４に入力され、高周波増幅部４４の出力は周波数変換部５０ａ，５０ｂにそれぞれ入力されている。また、発振器４６の出力は移送器４８を介して周波数変換部５０ａ，５０ｂにそれぞれ入力されている。周波数変換部５０ａ，５０ｂの出力は、それぞれフィルタ５２ａ，５２ｂおよびリミッタ５４ａ，５４ｂを介して復調器５６に入力されている。復調器５６の出力は受信信号処理回路５８に入力され、受信信号処理回路５８はバス６０と相互に接続されている。
【００４２】
また、制御部３８は、このページャ端末１０全体の制御を行う主ＣＰＵ（中央処理装置）６２と、制御プログラムや所定の定数等を記憶したＲＯＭ（読み出し専用メモリ）６４と、ワークエリアとして使用されるＲＡＭ（ランダムアクセスメモリ）６６と、各種パラメータやテーブル類を格納するＥＥＰＲＯＭ（電気的消去書き込み可能型ＲＯＭ）６８と、入力部４０からのデータ入力および表示部１４へのデータ出力を制御する操作部ＣＰＵ７０とを備えている。
【００４３】
ここで、制御部３８の主ＣＰＵ６２、ＲＯＭ６４、ＲＡＭ６６、ＥＥＰＲＯＭ６８および操作部ＣＰＵ７０等の各構成要素は、それぞれバス６０と相互に接続されている。また、入力部４０の出力は操作部ＣＰＵ７０に入力され、操作部ＣＰＵ７０の出力は表示部１４に入力されている。また、携帯端末用接続部１６は、その一方でバス６０と相互に接続され、前述の通り、その他方では携帯端末１８と物理的に直接またはケーブル等を介して、あるいは無線通信手段により相互に接続可能に構成されている。
【００４４】
上記制御部３８の各構成要素６２，６４，６６，６８，７０は、受信部３６の各構成要素４２，４４，４６，４８，５０ａ，５０ｂ，５２ａ，５２ｂ，５４ａ，５４ｂ，５６，５８における受信シーケンス動作の制御の他、受信制御信号の復号、受信プロトコルの制御を行うと共に、ページングシステムの受信メッセージや携帯端末で受信された情報、あるいはユーザに対する各種情報を表示部１４上に表示するための処理、入力部４０から入力されたデータを携帯端末用接続部１６を介して携帯端末１８に出力する処理、その他のページャ端末１０全体の動作の制御を行う。
【００４５】
ページャ端末１０において、無線呼び出し基地局から発信された信号は、ページャ端末１０受信部３６のアンテナ４２で受信され、高周波増幅部４４で増幅された後、２分岐されてそれぞれ周波数変換部５０ａ、５０ｂへ入力される。高周波増幅部４４から入力された信号は、それぞれの周波数変換部５０ａ，５０ｂにおいて、発振器４６から移送器４８を介して供給される、搬送波信号の周波数に等しい周波数の互いに９０°位相の異なる局部発振信号に基づいて、ベースバンドの信号に変換される。
【００４６】
それぞれの周波数変換器５０ａ，５０ｂから出力された信号は、それぞれフィルタ５２ａ，５２ｂおよびリミッタ５４ａ，５４ｂを介して復調器５６に入力され、復調される。復調器５６により復調された信号は受信信号処理回路５８へ供給され、自局のアドレス信号が検出された場合、そのメッセージ信号がデコードされる。デコードされたメッセージ信号はバス６０に供給され、ページングシステムにおける通常の受信メッセージである場合には、操作部ＣＰＵ７０の制御により表示部１４上に表示される。
【００４７】
また、ユーザが入力部４０において返信メッセージを生成する旨の操作を行った場合、ＲＯＭ６４から当該操作にかかるアプリケーションプログラムが読み出されてＲＡＭ６６に保存されると共に、該アプリケーションプログラムが主ＣＰＵ６２により実行され、ページャメッセージに含まれる返信先情報に対して所要のメッセージを送信すべき制御信号が生成される。この制御信号は、携帯端末用接続部１６を介して接続された携帯端末１８へ供給され、携帯端末１８から発信される。
【００４８】
以上説明したように、本実施形態のページャ端末１０によれば、本体部１２が、ページャ信号を受信して処理する。これにより、通常のページャ端末としての機能を実現する。さらに、この本実施形態のページャ端末１０では、本体部１２部が、携帯端末用接続部１６を介して、携帯端末１８との間で情報の授受を行う。したがって、ページャ端末１０を、携帯端末用接続部１６を介して在来の携帯端末１８と接続することにより、その携帯端末１８と協調して、廉価にページャ端末１０と携帯端末１８の両方の機能を備える複合端末に対して提供されるサービスを利用することができる。
【００４９】
また、本実施形態のページャ端末１０では、携帯端末用接続部１６が、携帯端末１８の機器接続部２６に嵌合する凸状つめ部３４を備えるので、携帯端末１８とページャ端末１０とを接続したときに一体化させることができる、ページャ端末１０と携帯端末１８の両方の機能を備える複合端末に対して提供されるサービスを利用する際の操作性等の利便性が向上する。
【００５０】
また、本実施形態のページャ端末１０では、携帯端末用接続部１６を保護する保護部２０を備えるので、携帯端末１８と接続していないときに、保護部２０により携帯端末用接続部１６を保護することにより、携帯端末用接続部１６を汚れや破損から有効に保護することができる。
【００５１】
また、本実施形態のページャ端末１０では、保護部２０が、回動可能な取付アーム２２により本体部１２（より詳しくは本体部１２のケース）に固定的に接続されているので、保護部２０の紛失を防止することができる。
【００５２】
なお、上記の実施形態では、コネクタによる物理的な直接接続により、ページャ端末１０と携帯端末１８とを接続することとしたが、ケーブル等を介して接続してもよい。また、物理的な接続にも限定されず、例えば赤外線通信、無線ＬＡＮ（ローカルエリアネットワーク）、ブルートゥース（Ｂｌｕｅｔｏｏｔｈ）等の無線通信手段により両者１０，１８を無線接続してもよい。
【００５３】
また、上記の実施形態では、保護部２０を本体部１２に取付アーム２２を介して固定的に接続したが、他の接続態様で保護部２０を本体部１２に接続することもできる。例えば、本体部１２と保護部２０とをチェーンで非固定的に接続してもよい。この場合、ページャ端末１０と携帯端末１８との接続時には、保護部２０がチェーンを介して本体部１２にぶら下げられた状態となる。なお、ページャ端末１０と携帯端末１８との接続を無線手段で実現する場合には、保護部２０を備えていなくてもよい。
【００５４】
また、上記の実施形態では、本体部１２の形状をボックス型としたが、本体部１２の形状はこれに限定されないし、そのサイズも何ら限定されない。また、表示部１４、携帯端末用接続部１６、保護部２０の配置、形状、サイズ等も必要に応じて適宜変更してもよい。
【００５５】
また、ページャ端末１０側の凸状つめ部３４及び携帯端末１８側の凹状つめ穴部３０は、接続した時にページャ端末１０を携帯端末１８に固定できるものであればよく、その形状、サイズ、配置、個数等は何ら限定されない。また、例えば、凸状つめ部３４に連動するボタンを設けておき、このボタンを押すことにより、凸状つめ部３４が、同インタフェース用コネクタ３２内に押し込まれるような構成としてもよい。
【００５６】
【発明の効果】
以上詳細に説明した様に、本発明のページャ端末によれば、携帯電話と接続して使用することにより、ページャ端末と携帯端末の両方の機能を備える複合端末に対して提供されるサービスを、ユーザが既に所持している既存の携帯端末を使用して利用することができるようになる。
【図面の簡単な説明】
【図１】図１（Ａ）及び図１（Ｂ）は、本発明の一実施形態に係るページャ端末の概略的な構成を示す外観図である。
【図２】一実施形態に係るページャ端末の携帯端末用接続部及び携帯端末の機器接続部の概略的な構成を示す図である。
【図３】一実施形態に係るページャ端末の内部構成を示す機能ブロック図である。
【図４】一実施形態に係るページャ端末を携帯端末に接続する際の位置関係を説明するための図である。
【図５】一実施形態に係るページャ端末と携帯端末とを直接接続した状態を示す図である。
【符号の説明】
１０…ページャ端末、１２…本体部（ページャ信号処理部）、１４…表示部、１６…携帯端末用接続部、１８…携帯端末、２０…保護部、２２…取付アーム、２６…機器接続部、２８，３２…インタフェース用コネクタ、３０…凹状つめ穴部、３４…凸状つめ部、３６…受信部、３８…制御部、４０…入力部、４２…アンテナ、４４…高周波増幅部、４６…発振器、４８…移送器、５０ａ，５０ｂ…周波数変換部、５２ａ，５２ｂ…フィルタ、５４ａ，５４ｂ…リミッタ、５６…復調器、５８…受信信号処理回路、６０…バス、６２…主ＣＰＵ、６４…ＲＯＭ、６６…ＲＡＭ、６８…ＥＥＰＲＯＭ、７０…操作部ＣＰＵ。
【図１】
2004040608.tif 000003
【図２】
2004040608.tif 000004
【図３】
2004040608.tif 000005
【図４】
2004040608.tif 000006
【図５】
2004040608.tif 000007